【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】ガラス扉の構造
【手続補正２】
【補正対象書類名】明細書
【補正対象項目名】特許請求の範囲
【補正方法】変更
【補正の内容】
【特許請求の範囲】
【請求項１】  ガラス枠にガラスユニットを着脱可能に取り付けてなるガラス扉の構造において，
上記ガラスユニットは，ガラス板と，該ガラス板の外縁を囲うよう配設された外縁部とを有しており，該外縁部の一側方部には，上記ガラス枠に対して上記ガラスユニットを回動可能に取り付けるための回動ヒンジ部を有しており，
上記ガラス枠は，上記ガラスユニットにより後方側から覆われる開口穴と，上記回動ヒンジ部と係合して，これを回動可能に支持する回動支持部とを有しており，
上記ガラスユニット及び上記ガラス枠には，それぞれ互いに上下方向に対面するユニット側対面部及び枠側対面部が形成されていると共に，上記ユニット側対面部の下面に対面するよう上記枠側対面部が形成されており，
上記ガラスユニットは，上記ユニット側対面部を上記枠側対面部から浮上させた状態で回動可能であると共に，上記ユニット側対面部と上記枠側対面部とが係合したときには，上記ガラス枠における両側方部にそれぞれ設けた補強用板金と係合して，上記ガラス枠に対して取り付けられるよう構成してあることを特徴とするガラス扉の構造。
【請求項２】  請求項１において，上記ガラスユニット又は上記ガラス枠は，該ガラスユニットが該ガラス枠に対して取り付けられた状態において，該ガラスユニットが上方にずれることを防止するための上下固定具を有しており，
上記ガラス枠は，上記ガラスユニットが該ガラス枠に対して取り付けられた状態において，該ガラスユニットの荷重を受けるための荷重受け部を有していることを特徴とするガラス扉の構造。
【手続補正３】
【補正対象書類名】明細書
【補正対象項目名】０００１
【補正方法】変更
【補正の内容】
【０００１】
【技術分野】
本発明は，ガラス枠にガラスユニットを着脱可能に取り付けてなるガラス扉の構造に関する。
【手続補正４】
【補正対象書類名】明細書
【補正対象項目名】０００５
【補正方法】変更
【補正の内容】
【０００５】
本発明は，かかる従来の問題点に鑑みてなされたもので，ガラス枠に対するガラスユニットの取付，取外しが容易であるガラス扉の構造を提供しようとするものである。
【手続補正５】
【補正対象書類名】明細書
【補正対象項目名】０００６
【補正方法】変更
【補正の内容】
【０００６】
【課題の解決手段】
本発明は，ガラス枠にガラスユニットを着脱可能に取り付けてなるガラス扉の構造において，
上記ガラスユニットは，ガラス板と，該ガラス板の外縁を囲うよう配設された外縁部とを有しており，該外縁部の一側方部には，上記ガラス枠に対して上記ガラスユニットを回動可能に取り付けるための回動ヒンジ部を有しており，
上記ガラス枠は，上記ガラスユニットにより後方側から覆われる開口穴と，上記回動ヒンジ部と係合して，これを回動可能に支持する回動支持部とを有しており，
上記ガラスユニット及び上記ガラス枠には，それぞれ互いに上下方向に対面するユニット側対面部及び枠側対面部が形成されていると共に，上記ユニット側対面部の下面に対面するよう上記枠側対面部が形成されており，
上記ガラスユニットは，上記ユニット側対面部を上記枠側対面部から浮上させた状態で回動可能であると共に，上記ユニット側対面部と上記枠側対面部とが係合したときには，上記ガラス枠における両側方部にそれぞれ設けた補強用板金と係合して，上記ガラス枠に対して取り付けられるよう構成してあることを特徴とするガラス扉の構造にある（請求項１）。
【手続補正６】
【補正対象書類名】明細書
【補正対象項目名】０００７
【補正方法】変更
【補正の内容】
【０００７】
本発明のガラス扉の構造においては，上記ガラス板及び外縁部を設けて構成されるガラスユニットは，外縁部の一側方部に上記回動ヒンジ部を有しており，上記開口穴を設けて構成されるガラス枠は，上記回動支持部を有している。そして，回動ヒンジ部と回動支持部とにより，ガラスユニットとガラス枠との連結後には，ガラスユニットをガラス枠に対して回動自在にすることができる。
【手続補正７】
【補正対象書類名】明細書
【補正対象項目名】０００８
【補正方法】変更
【補正の内容】
【０００８】
そして，本発明においては，ガラスユニットは，ユニット側対面部を枠側対面部から浮上させた状態で回動可能である。また，ガラスユニットは，ユニット側対面部と枠側対面部とが係合したときには，ガラス枠における両側方部にそれぞれ設けた補強用板金と係合して，ガラス枠に対して取り付けられる。
【手続補正８】
【補正対象書類名】明細書
【補正対象項目名】０００９
【補正方法】変更
【補正の内容】
【０００９】
すなわち，上記ガラスユニットを上記ガラス枠に取り付ける際には，ガラスユニットの回動ヒンジ部をガラス枠の回動支持部に係合させて，ガラスユニットとガラス枠とを連結する。そして，ガラスユニットにおけるユニット側対面部を，ガラス枠における枠側対面部から浮上させた状態を形成する。そして，この浮上状態においては，ガラスユニットはガラス枠に対して上記回動ヒンジ部及び回動支持部を回動中心にして回動することができる。
【手続補正９】
【補正対象書類名】明細書
【補正対象項目名】００１０
【補正方法】変更
【補正の内容】
【００１０】
そして，上記ガラスユニットを，上記ガラス枠に完全に又はほぼ重なる重なり位置まで回動させたときには，ユニット側対面部と枠側対面部とが係合し，ガラスユニットがガラス枠における補強用板金と係合して，ガラス枠に対して取り付けられる。すなわち，本発明のガラス扉の構造において上記ガラスユニットの取付を行う際には，上記回動ヒンジ部と回動支持部とを係合させ，その後は，ガラスユニットを上記重なり位置まで回動させるだけで，ガラスユニットの少なくとも概略の位置決めを行うことができる。
また，ガラスユニットをガラス枠における補強用板金と係合させた後には，ガラスユニットは，止め金具等で固定することなくガラス枠に取り付けることができる。
【手続補正１０】
【補正対象書類名】明細書
【補正対象項目名】００１１
【補正方法】変更
【補正の内容】
【００１１】
また，一方で，上記ガラスユニットを上記ガラス枠より取り外す際には，ガラスユニットを持ち上げて，ガラス枠における補強用板金との係合状態を解除する。そして，ユニット側対面部を枠側対面部から浮上させ，上記回動ヒンジ部及び回動支持部を回動中心にしてガラスユニットを回動させる。そして，その後，回動ヒンジ部を回動支持部より取り外して，ガラスユニットをガラス枠から取り外すことができる。そのため，本発明のガラス扉の構造においては，上記ガラスユニットをガラス枠より取り外すことも容易である。
このように，本発明のガラス扉の構造においては，上記ガラスユニットは上記ガラス枠に対して取付，取外しが容易であり，短時間でガラスユニットの取付，取外しを行うことができる。
【手続補正１１】
【補正対象書類名】明細書
【補正対象項目名】００１２
【補正方法】変更
【補正の内容】
【００１２】
【発明の実施の形態】
上述した本発明における好ましい実施の形態につき説明する。
本発明において，上記ユニット側対面部又は上記枠側対面部の一方には，他方に向けて突出したスペーサ部を形成し，他方には，上記スペーサ部と当接するスペーサ当接面と，上記スペーサ部を収納可能なスペーサ収納部とを形成し，上記ガラスユニットは，上記スペーサ部を上記スペーサ当接面に当接させて上記ガラス枠に対して浮上させた状態で，上記回動ヒンジ部と上記回動支持部との係合により回動可能であり，上記スペーサ部が上記スペーサ収納部に対向した際には，該スペーサ収納部に上記スペーサ部を収納して上記ガラス枠に対して下降させるよう構成することもできる。
また，上記スペーサ部の上記スペーサ収納部への収納とは，スペーサ部とスペーサ収納部との間に隙間をほとんど形成しない状態で係合又は嵌合する場合だけでなく，多少の上記隙間を形成した状態で係合又は嵌合する場合等をも含む。
また，上記ガラス枠に対する上記ガラスユニットの位置決めとは，上記重なり位置にほぼ完全に静止される状態での位置決めだけでなく，上記重なり位置に対して多少のぐらつきを有した状態での位置決め等をも含む。
【手続補正１２】
【補正対象書類名】明細書
【補正対象項目名】００１３
【補正方法】変更
【補正の内容】
【００１３】
本発明においては，上記スペーサ部及び上記スペーサ収納部は，それぞれ上記ユニット側対面部及び上記枠側対面部に複数形成することができる。
この場合には，上記ガラスユニットは，複数のスペーサ部と上記スペーサ当接面とによって浮上が可能であり，複数のスペーサ部が複数のスペーサ収納部に収納されて，上記位置決めを行うことができる。そのため，ガラスユニットの浮上が容易であると共に，ガラスユニットの位置決めを安定して行うことができる。
【手続補正１３】
【補正対象書類名】明細書
【補正対象項目名】００１４
【補正方法】変更
【補正の内容】
【００１４】
また，上記ガラスユニット及び上記ガラス枠は，上記スペーサ部が上記スペーサ収納部に収納された状態において，互いに係合するロック部を有していることができる。
この場合には，上記ガラスユニット及びガラス枠に設けたロック部によって，上記ガラスユニットの位置決めを一層安定させることができる。
【手続補正１４】
【補正対象書類名】明細書
【補正対象項目名】００１５
【補正方法】変更
【補正の内容】
【００１５】
また，上記ロック部は，上記ガラスユニットにおける上記外縁部の一側方部とは反対側の他側方部に設けられたユニット側ロック部と，該ユニット側ロック部に係合するように上記ガラス枠に設けられた枠側ロック部とからなることができる。
この場合には，上記ガラスユニットの位置決めを行った際には，上記外縁部の一側方部における回動ヒンジ部と上記回動支持部との係合と，上記外縁部の他側方部におけるユニット側ロック部と上記枠側ロック部との係合を行うことができる。そのため，ガラスユニットは，左右両側において各部が係合し，このガラスユニットの位置決めを一層安定させることができる。
【手続補正１５】
【補正対象書類名】明細書
【補正対象項目名】００１６
【補正方法】変更
【補正の内容】
【００１６】
また，上記回動支持部及び上記枠側ロック部は，上記ガラス枠における両側方部にそれぞれ設けた補強用板金にそれぞれ配設することができる。
この場合には，上記ガラスユニットを上記ガラス枠に取り付けた際に，上記両側方部の補強用板金とガラスユニットとが強固に係合し，上記ガラスユニットの取付構造の強度を向上させることができる。
【手続補正１６】
【補正対象書類名】明細書
【補正対象項目名】００１７
【補正方法】変更
【補正の内容】
【００１７】
また，上記ユニット側対面部は，上記ガラスユニットにおける上記外縁部の下方部に形成されており，上記枠側対面部は，上記下方部に形成されたユニット側対面部に対面するよう形成することができる。
この場合には，上記ガラスユニット及び上記ガラス枠において，上記ユニット側対面部及び上記枠側対面部を設けることが容易である。
【手続補正１７】
【補正対象書類名】明細書
【補正対象項目名】００１８
【補正方法】変更
【補正の内容】
【００１８】
また，上記スペーサ部と上記スペーサ収納部との少なくとも１つは，上記回動ヒンジ部と上記回動支持部とによる回動中心軸の近傍に設けることができる。
この場合には，上記ガラス枠に対するガラスユニットの広い回動範囲内において，上記スペーサ部と上記スペーサ当接面との当接状態を形成することができる。
【手続補正１８】
【補正対象書類名】明細書
【補正対象項目名】００１９
【補正方法】変更
【補正の内容】
【００１９】
また，上記ガラスユニット又は上記ガラス枠は，該ガラスユニットが該ガラス枠に対して取り付けられた状態において，該ガラスユニットが上方にずれることを防止するための上下固定具を有しており，上記ガラス枠は，上記ガラスユニットが該ガラス枠に対して取り付けられた状態において，該ガラスユニットの荷重を受けるための荷重受け部を有していることが好ましい（請求項２）。
この場合には，上記上下固定具によって，上記ガラス枠に対して上記ガラスユニットを上下方向に固定することができる。そのため，ガラスユニットをガラス枠に取り付けた取付構造を安定して維持することができる。
また，この場合には，上記荷重受け部によって，上記ガラスユニットの荷重を受けて，ガラス枠に対するガラスユニットの位置決め状態を安定させることができる。
【手続補正１９】
【補正対象書類名】明細書
【補正対象項目名】００２０
【補正方法】変更
【補正の内容】
【００２０】
また，上記ガラスユニットは，該ガラスユニットを操作することができる取手部を有していることができる。
この場合には，上記ガラスユニットは，上記取手部を持って操作することによって，上記ガラス枠に対して回動させることが容易である。また，ガラスユニットは，取手部を操作することによって，上記位置決めがなされた状態から浮上させることが容易になる。そのため，ガラスユニットの取付，取外し作業を一層容易に行うことができる。
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】変更
【補正の内容】
【００２２】
【実施例】
以下に，図面を用いて本発明のガラスユニットの取付構造（ガラス扉の構造）にかかる実施例につき説明する。
（実施例１）
本例のガラスユニット３の取付構造１（以下にガラスユニット取付構造１という）は，図１〜図１０に示すごとく，ガラス枠２にガラスユニット３を着脱可能に取り付けてなる。
図６に示すごとく，上記ガラスユニット３は，ガラス板３５と，このガラス板３５の外縁を囲うよう配設された外縁部３０とを有している。そして，外縁部３０の一側方部３０１には，上記ガラス枠２に対して上記ガラスユニット３を回動可能に取り付けるための回動ヒンジ部３１が形成されている。